【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
スピーカユニットとマイクロホンを備えたイヤホンと、当該イヤホンと電気的に接続される本体を備え、 前記本体は、前記マイクロホンが集音した音声信号を処理して前記スピーカユニットに出力し、 前記イヤホンは、前記スピーカユニットと前記マイクロホンを収納するハウジングと、          前記本体と前記イヤホンを電気的に接続するコードとを備え、 前記ハウジングは、前記スピーカユニットを収容する第１の収容部と前記マイクロホンを収容する第２の収容部を備え、 前記コードは、前記ハウジングのコード保持部を介して前記ハウジングから引き出され、前記第２の収容部は前記コード保持部に沿って延在しており、 前記コード保持部は、前記第２の収容部のマイク孔部に対向する位置に配置されることを特徴とする音声処理装置。
【請求項２】
前記第１の収容部は前記スピーカユニットの音響放射面に連通する音響放射孔部を備え、 前記コードは、前記ハウジングの前記音響放射孔部側とは逆側に配置されており、 前記マイクロホンの音響受動面の軸は、前記スピーカユニットの音響放射面の軸に対して交差しており、 前記マイク孔部は、前記コード又は前記コード保持部に向かって開口していることを特徴とする請求項１記載の音声処理装置。
【請求項３】
前記第２収容部は、前記マイクロホンの音響受動面側に内部空間を備え、 前記内部空間は、前記マイク孔部を介して外部と連通することを特徴とする請求項１又は２記載の音声処理装置。
【請求項４】
前記コード保持部の曲げ剛性は前記コードに対して大きく、前記コード保持部の側面と  前記マイク孔部との間には間隙が設けられることを特徴とする請求項１から３のいずれかに記載の音声処理装置。
【請求項５】
前記コードの一方の端部は、前記ハウジング内に配置されており、 前記ハウジングは、前記第１の収容部から前記第２の収容部に向かって屈曲した屈曲部を備え、 前記第１の収容部は前記音響放射孔部の軸に沿って延在しており、 前記第２の収容部は前記屈曲部から前記コード保持部に向かう方向にて延在していることを特徴とする請求項１から４のいずれかに記載の音声処理装置。
【請求項６】
前記コード保持部は直線状に延在しており、 前記第２の収容部は湾曲状に延在していることを特徴とする請求項請求項１から５のいずれかに記載の音声処理装置。
【請求項７】
前記イヤホンは、前記ハウジングの前記音響放射孔部側に配置される音導管と耳介接続部と耳介接触部を備えることを特徴とする請求項請求項１から６のいずれかに記載の音声処理装置。
【請求項８】
前記スピーカユニットは、ボイスコイル及び振動板を有する振動部と磁気回路を備え、前記振動板は前記音響放射面を有することを特徴とする請求項１から７のいずれかに記載の音声処理装置。
【請求項９】
前記本体は、音声信号処理回路を備え、前記音声信号処理回路は、前記本体に設けた操作部により切り替えられる複数の異なるバンドパスフィルタを備え、前記複数の異なるバンドパスフィルタの一つが、電話の音声を通過させる特性を有する第１バンドパスフィルタであることを特徴とする請求項１から８のいずれかに記載の音声処理装置。
【請求項１０】
前記操作部は、任意のバンドパスフィルタから直接前記第１バンドパスフィルタへ切り替える特定切り替え動作を備えることを特徴とする請求項９記載の音声処理装置。
【請求項１１】
前記第１バンドパスフィルタは、２０００Ｈｚ〜３０００Ｈｚのカットオフ周波数を有するローパスフィルタと、３００Ｈｚ〜８００Ｈｚのカットオフ周波数を有するハイパスフィルタと、７００Ｈｚ〜１２００Ｈｚの中心周波数を有するイコライザーで構成されることを特徴とする請求項９または１０記載の音声処理装置。
【請求項１２】
前記複数の異なるバンドパスフィルタは、前記第１バンドパスフィルタと第２バンドパスフィルタを備え、前記第２バンドパスフィルタは、前記第１バンドパスフィルタのローパスフィルタにおけるカットオフ周波数よりも大きいカットオフ周波数を有するローパスフィルタと、前記        第１バンドパスフィルタのハイパスフィルタにおけるカットオフ周波数よりも小さいカットオフ周波数を有するハイパスフィルタと、７００Ｈｚ〜１２００Ｈｚの中心周波数を有するイコライザーで構成され、前記第２バンドパスフィルタの最大増幅率は前記第１バンドパスフィルタの最大増幅率より小さいことを特徴とする請求項１１記載の音声処理装置。
【請求項１３】
前記複数の異なるバンドパスフィルタは、第３バンドパスフィルタを備え、前記第３バンドパスフィルタは、前記第２バンドパスフィルタのローパスフィルタにおけるカットオフ周波数よりも小さいカットオフ周波数を有するローパスフィルタと、前記第２バンドパスフィルタのハイパスフィルタにおけるカットオフ周波数よりも大きいカットオフ周波数を有するハイパスフィルタで構成され、前記第３バンドパスフィルタの最大増幅率は前記第２バンドパスフィルタの最大増幅率より小さいことを特徴とする請求項１２記載の音声処理装置。
【請求項１４】
前記複数の異なるバンドパスフィルタは、第４バンドパスフィルタを備え、前記第４バンドパスフィルタは、前記第３バンドパスフィルタのローパスフィルタにおけるカットオフ周波数よりも大きいカットオフ周波数を有するローパスフィルタと、前記第３バンドパスフィルタのハイパスフィルタにおけるカットオフ周波数よりも小さいカットオフ周波数を有するハイパスフィルタで構成され、前記第４バンドパスフィルタの最大増幅率は前記第３バンドパスフィルタの最大増幅率より小さいことを特徴とする請求項１３記載の音声処理装置。
【請求項１５】
前記音声信号処理回路には、前記複数の異なるバンドパスフィルタが固定された状態で組み込まれていることを特徴とする請求項９から１４のいずれかに記載の音声処理装置。
【請求項１６】
前記スピーカユニットから出力される出力音圧周波数特性は、約５０Ｈｚから約８００Ｈｚまでの周波数帯域において凸状の起伏を有し、前記起伏は、前記本体により前記音声信号処理回路に設定される前記バンドパスフィルタにより変化することを特徴とする請求項９から１５のいずれかに記載の音声処理装置。
【請求項１７】
前記第２バンドパスフィルタ又は前記第４バンドパスフィルタが設定された前記音声処理装置に接続される前記スピーカユニットの出力音圧周波数特性の起伏は、前記第１バンドパスフィルタ又は前記第３バンドパスフィルタが設定された前記音声処理装置に接続される前記スピーカユニットの出力音圧周波数特性の起伏に対して大きいことを特徴とする請求項１４に記載の音声処理装置。
【請求項１８】
前記第１バンドパスフィルタは、約３００Ｈｚから約３４００Ｈｚまでの周波数帯域内の音声を選択的に通過させることを特徴とする請求項９から１７のいずれかに記載の音声処理装置。
【請求項１９】
前記操作部は、切り替えスイッチを備え、前記切り替えスイッチは通常切り替え動作を有し、前記通常切り替え動作は、前記複数のバンドパスフィルタを規定された順にて切り替えることを特徴とする請求項９から１８のいずれかに記載の音声処理装置。
【請求項２０】
前記切り替えスイッチは、前記特定切り替え動作を有することを特徴とする請求項１９記載の音声処理装置。
【請求項２１】
前記本体は、切り替え報知部を備え、前記切り替え報知部は、前記切り替えスイッチによる前記バンドパスフィルタの切り替え期間において、前記音声信号処理回路による前記スピーカユニットへの音声信号の出力が遮断されるとともに、当該スピーカユニットに報知音を出力させることを特徴とする請求項１９又は２０に記載された音声処理装置。
【請求項２２】
前記本体は、切り替え表示部を備え、前記切り替え表示部は、前記切り替えスイッチによって設定される前記複数の異なるバンドバスフィルタのそれぞれに対応して異なる発光色を発することを特徴とする請求項１９から２１のいずれかに記載の音声処理装置。